(57)【特許請求の範囲】
【請求項１】
遊技盤の裏側上部に備えられた球タンクに球を補給する球補給管に接続される角形筒状のパチンコ機の球補給管補助部材であって、
球タンクに落下した球が流下する方向と反対側の内側側壁に、球を流下方向に向けて斜めに落下させるための球誘導部を設けたうえに、球補給管補助部材内の球の排出通路を前記内側側壁に沿う方向に湾曲させたことを特徴とするパチンコ機の球補給管補助部材。
【発明の詳細な説明】
【０００１】
【発明の属する技術分野】
本発明は、パチンコ機の遊技盤の裏側上部に備えられた球タンクに球を補給するためのパチンコ機の球補給管補助部材に関するものである。
【０００２】
【従来の技術】
パチンコ機の遊技盤の裏側上部には球を一時貯留するための球タンクが備えられており、この球タンクの下方には球整列レールと球払出装置が配置されている。球タンクから供給された球は球整列レールにおいて列状に整列されたのち球払出装置に供給される。そして、球払出装置により要求された球数を貸球或いは賞球として払い出すようになっているが、球タンクには回収されて研摩された球が揚送されて球補給管を介して補給され、払出しに支障のない数の球が常に貯留されている。
【０００３】
従来の球タンクに球を供給するための球補給管は、図５に示すように、球補給管１が垂直状に球の排出口を下向きとして、遊技盤２の裏側の球タンク３の上方に配設されていて、球はほぼ垂直に落下していた。しかしながら、このように垂直状に球補給管１を配設した場合に、球タンク３の底面４と球補給管１の終端部５との距離が短いと、球タンク３の底面４と球補給管１との間で、偶発的に球が積み重なって流れなくなる球詰まりが発生してしまい、要求された球数を円滑に供給することが不可能になって遊技に支障を来すことがあった。また、球が垂直に落下するために、球が重力により加速されて衝突し球タンク３の底面４が破損する危険性があった。
【０００４】
【発明が解決しようとする課題】
本発明は上記した従来の問題点を解決し、球詰まりを発生することがなく、また、球タンクの底面を破損させることのないパチンコ機の球補給管補助部材を提供するためになされたものである。
【０００５】
上記の課題を解決するためになされた本発明のパチンコ機の球補給管補助部材は、遊技盤の裏側上部に備えられた球タンクに球を補給する球補給管に接続される角形筒状のパチンコ機の球補給管補助部材であって、
球タンクに落下した球が流下する方向と反対側の内側側壁に、球を流下方向に向けて斜めに落下させるための球誘導部を設けたうえに、球補給管補助部材内の球の排出通路を前記内側側壁に沿う方向に湾曲させたことを特徴とするものである。
【０００６】
パチンコ機の球補給管は、球が流下する方向と反対側の内側側壁の終端部に球誘導部を設けて球を流下方向に向けて斜めに落下するようにしたので、後続球が先行球の上に乗ってしまうことによる球詰まりを防止することができ、また、垂直に落下する球を一旦球誘導部により受け止めるので、球タンクの底面に衝突する球の衝撃を小さいものとしてその底面が破損する危険性を小さくすることができる。
【０００７】
【発明の実施の形態】
以下に図面を参照しつつ本発明の好ましい実施形態を示す。図１、２はパチンコ機の球補給管が配設された遊技盤裏側の一部を示す図であって、球タンク３の上部に球補給管１が垂直状に備えられていて、球タンク３内に落下した球は傾斜した底面４上を位置の低い方へ向かって（図では右から左へ）流下する。ここで、落下した球が流下する方向と反対側、即ち球の流れの上流側の球補給管終端部６の内側側壁には、球誘導部７が設けられていて球を流下方向に向けて斜めに落下させるようになっている。そして、球が流下する方向側、即ち球誘導部７を設けた内側側壁と対向する側の球補給管側壁の終端部８の長さを、球誘導部７を設けた側壁の終端部６より短いものとして球誘導部７に衝突した球が楽に通過可能な隙間を形成してある。さらに、球が流下する方向側の終端部８には、球逃し用の窪み部９が設けられて、球の排出がよりスムーズに行われるようにしてある。
【０００８】
以上のように球補給管１の球排出口を構成したので、球補給管１内を垂直に落下してきた球は球誘導部７に衝突して球が流下する方向に落下方向を曲げられて球タンク３内に落下する。このため先行して排出された球とこれに続いて排出された後続球の中心位置が若干横にずれることになるので、後続球が先行球の上に乗ってしまうことがない。従って、偶発的な球吊り状態を引き起こすことがなく、球詰まりを発生することがない。また、球補給管１内を落下してきた球は一旦球誘導部７に衝突して球の落下の衝撃が一部ここで吸収されて、従来よりも小さい衝突力でもって球タンク３の底面４に落下するので、底面４が破損する危険性が大幅に軽減される。
【０００９】
なお、上記した形態においては球補給管１の終端部６、８に球誘導部７や球逃し用の窪み部９を設けたが、図３、４に示すように球誘導部７や球逃し用の窪み部９が設けられた角形筒状の球補給管補助部材１０を球補給管１の終端部５に装着しても同様な効果を得ることができる。ここで図示した球補給管補助部材１０は、球の排出通路１１が奥から手前側に湾曲しているうえに、終端部６には球誘導部７が設けられていて球を流下方向に斜め横に排出するようになっている。また、球誘導部７が設けられた終端部６に対向する終端部８は終端部６より短く形成されていて、さらにこの終端部８には球逃し用の窪み部９が設けられている。なお、球補給管１は円筒状のものに限らず四角形等の角形筒状のものであってもよく、従って、球補給管補助部材１０も角形筒状のほか円筒状などのものとすることができる。
【００１０】
【発明の効果】
以上に説明したように、パチンコ機の球補給管は、球が流下する方向と反対側の内側側壁の終端部に球誘導部を設けて球を流下方向に向けて斜めに落下するようにしたので、後続球が先行球の上に乗ってしまうことによる球詰まりを発生することがない。また、球誘導部が球の落下を一旦受け止めるので球タンクの底面に球が衝突する衝撃を小さいものとして、球タンクの破損の危険性を大幅に小さくすることができる。さらに、球が流下する方向側の球補給管側壁の終端部の長さを、球誘導部を設けた側壁の終端部より短く形成したり、球が流下する方向側の球補給管側壁の終端部に、球逃し用の窪み部を設けたりすることにより、球を円滑に球補給管から排出して常に遊技の続行に必要な球数を球タンクに貯留することができる利点がある。
【図面の簡単な説明】
【図１】  球補給管が備えられた遊技盤裏面の上部拡大図である。
【図２】  図１の要部拡大図である。
【図３】  球補給管補助部材の（ａ）側面図、（ｂ）背面図、（ｃ）正面図である。
【図４】  図３（ａ）のＡ−Ａ断面図図である。
【図５】  従来の球補給管が備えられた遊技盤裏面の上部拡大図である。
【符号の説明】
１  球補給管
２  遊技盤
３  球タンク
４  底面
５  球補給管の終端部
６  球が流下する方向と反対側の球補給管側壁の終端部
７  球誘導部
８  球が流下する方向側の球補給管側壁の終端部
９  球逃し用の窪み部
１０  球補給管補助部材
【図１】
0003956342.tif 000002
【図２】
0003956342.tif 000003
【図３】
0003956342.tif 000004
【図４】
0003956342.tif 000005
【図５】
0003956342.tif 000006